(57)【特許請求の範囲】
【請求項１】
利用者が現金の預け入れおよび引き出しを行う現金預入支払端末を備えて，前記利用者と口座取引を行う口座取引システムが実行する利用者認証方法であって，
前記現金預入支払端末において，利用者の口座番号が記録されたカードから口座番号を読み取る処理過程と，
前記利用者の本人認証のために入金された入金金額を取得する処理過程と，
前記利用者の口座番号と本人認証のために入金される金額を示す設定金額とが記録された口座情報記憶手段を前記口座番号によって検索し，前記利用者の設定金額を取得する処理過程と，
前記入金金額と前記取得された設定金額とを比較し，当該入金金額と当該設定金額とが一致する場合に前記利用者の本人認証が成功したものと判定し，当該入金金額と当該設定金額とが一致しない場合に前記利用者の本人認証が失敗したものと判定する処理過程と，
前記本人認証結果が認証成功である場合に，前記現金預入支払端末において前記利用者の口座の出金取引が実行可能となる状態に設定し，前記本人認証結果が認証失敗である場合に，前記現金預入支払端末において前記利用者の口座の出金取引が実行不可となる状態に設定して前記入金金額を前記利用者の口座へ入金する処理過程とを備える
ことを特徴とする利用者認証方法。
【請求項２】
次回取引時の本人認証のために入金される設定金額の変更を受け付け，前記変更後の設定金額をもとに前記口座情報記憶手段に記録された前記設定金額を更新する処理過程を備える
請求項１に記載された利用者認証方法。
【請求項３】
前記本人認証結果が認証成功である場合に，前記利用者の口座の出金取引において，前記利用者が指定した出金金額に前記入金金額を加算した額を出金する処理過程を備える
ことを特徴とする請求項１または請求項２のいずれか一項に記載された利用者認証方法。
【請求項４】
前記利用者の本人認証が認証成功である場合の前記入金金額の後処理について，前記利用者の選択を受け付ける処理過程と，
前記選択結果として，前記入金金額の返金処理の選択を受け付けた場合に，前記出金取引において，前記利用者が指定した出金金額に前記入金金額を加算した額を出金し，前記入金金額の入金処理の選択を受け付けた場合に，前記入金金額を前記利用者の口座へ入金する処理過程を備える
ことを特徴とする請求項１または請求項２のいずれか一項に記載された利用者認証方法。
【請求項５】
前記選択結果として前記入金金額の入金処理の選択を受け付けた場合に，次回取引時の本人認証のための設定金額が変更されているか否かを判定する処理過程と，
前記口座情報記憶手段の設定金額が変更されていない場合に，前記出金取引の完了後に，前記利用者の口座に取引停止状態を前記口座情報記憶手段に設定する処理過程を備え，
前記現金預入支払端末における前記利用者の口座の取引実行を禁止する
ことを特徴とする請求項４に記載された利用者認証方法。
【発明の詳細な説明】
【技術分野】
【０００１】
本発明は，金融機関などが利用者との口座取引を，現金自動預入支払機を介して行う口座取引システムにおける利用者認証方法に関するものである。さらに詳しくは，口座取引システムの端末として設置される現金自動預入支払機において，所定の取引前に，予め設定された金額を入金することによって利用者の本人認証を行う技術に関する。
【背景技術】
【０００２】
従来，金融機関などの口座取引システム（以下，ＡＴＭシステムという）の現金自動預入支払機（以下，ＡＴＭという）では，口座所有者が予め登録しておいた暗証番号のみによって本人認証を行い，キャッシュカード等のカードの不正利用を防止していた。しかし，近年では，スキミング等によってキャッシュカードが偽造され，ＡＴＭで不正に出金される犯罪が増えてきており，暗証番号による認証だけではキャッシュカードの不正利用を防止することができなくなってきた。そのため，暗証番号以外の認証方法で，キャッシュカードの不正利用を防止する必要性が高まっている。
【０００３】
キャッシュカードの不正利用を防止する技術としては，キャッシュカードのＩＣ化によってカード自体の偽造を困難にすることが知られている。また，口座所有者の生体情報を記録したＩＣカード型キャッシュカードによる生体認証によって，ＡＴＭ利用者の本人認証を行う技術などが知られている。
【０００４】
また，携帯電話など，キャッシュカード以外の携帯可能な装置などを用いてＡＴＭ利用者の本人確認を行う技術が知られている。例えば，特許文献１には，ＡＴＭの利用者の携帯端末の位置によって，ＡＴＭの利用者が本人であるかを確認する技術が記載されている。特許文献１では，ＡＴＭに挿入されたキャッシュカードから利用者を特定し，特定された利用者の携帯端末の位置をＧＰＳなどによって計測し，キャッシュカードが挿入されたＡＴＭと利用者の携帯端末との距離が一定の距離以内である場合に，ＡＴＭの利用者がキャッシュカードの所有者本人であると判定している。
【特許文献１】特開２００５−３１６５２４号公報
【発明の開示】
【発明が解決しようとする課題】
【０００５】
このように，近年では様々なキャッシュカードの不正利用防止の技術が考えられている。しかし，これらの技術には，同時に様々な問題が存在する。
【０００６】
ＩＣ型キャッシュカードと生体認証によってキャッシュカードの不正利用を防止する場合には，生体情報読取装置などの新たなハードウェア導入のための投資が必要となるために，中小の金融機関では実現が難しいという問題がある。
【０００７】
また，上記の特許文献１のように，携帯端末などの機器を使用して本人認証をする場合には，キャッシュカードと同時に携帯端末などの機器が盗難されてしまえば，結局，キャッシュカードの不正利用を防止することができないという問題がある。
【０００８】
しかし，本人認証の手続自体を複雑にしてしまうと，利用者の操作が難しくなってしまうため，特に老齢者などがＡＴＭを利用しにくくなってしまうという問題がある。
【０００９】
また，単なる暗証番号によって利用者認証を行う場合には，不正利用者はリスクがない状態でキャッシュカードの不正利用を試すことができるという大きな問題がある。すなわち，適当に組み合わせた数字による暗証番号を入力して不正利用を試み，その結果，正しい暗証番号を入力できずに利用が拒絶されても，そのキャッシュカードが利用できなくなってしまうだけなので，不正利用者には実害がない。
【００１０】
したがって，不正利用を試みるたびに損をするなどして，不正利用を抑止できるような仕組みが要求されている。
【００１１】
本発明は，上記の課題の解決を図り，利用者にとって簡単な操作で，システム導入のコストが少なく，なおかつ不正利用抑止の効果が高い利用者の本人認証を行えるＡＴＭシステムでの利用者認証方法を提供することを目的とする。
【課題を解決するための手段】
【００１２】
本発明は，上記の課題を解決するため，ＡＴＭにおいて，利用者が取引開始前に本人認証のために所定の金額を入金し，その入金金額と，予め本人認証のために入金する額として決められている設定金額とを比較し，この双方の金額が一致した場合にのみ正規の利用者として取引が許可されることを特徴とする。本人認証のために設定された金額は，通常，設定した正規利用者だけが知るものであり，正しい金額の入金は，正規の利用者にしかできないと考えてよい。
【００１３】
本発明は，利用者が現金の預け入れおよび引き出しを行うＡＴＭを備えて，利用者と口座取引を行う口座取引システムが実行する利用者認証方法であって，１）ＡＴＭにおいて，利用者の口座番号が記録されたカードから口座番号を読み取る処理過程と，２）利用者の本人認証のために入金された入金金額を取得する処理過程と，３）利用者の口座番号と本人認証のために入金される金額を示す設定金額とが記録された口座情報記憶手段を口座番号によって検索し，利用者の設定金額を取得する処理過程と，４）入金金額と取得された設定金額とを比較し，入金金額と設定金額とが一致する場合に利用者の本人認証が成功したものと判定し，入金金額と設定金額とが一致しない場合に利用者の本人認証が失敗したものと判定する処理過程と，５）本人認証結果が認証成功である場合に，ＡＴＭにおいて利用者の口座の出金取引が実行可能となる状態にし，本人認証結果が認証失敗である場合に，ＡＴＭにおいて利用者の口座の出金取引が実行不可となる状態にして，入金金額を前記利用者の口座へ入金する処理過程とを備える。
【００１４】
本発明では，ＡＴＭにおいて，利用者の口座番号が記録されたカードから口座番号を読み取り，さらに，利用者によって本人認証のために入金された入金金額を取得する。そして，利用者の口座番号と本人認証のために入金される金額を示す設定金額とが記録された口座情報記憶手段を口座番号によって検索し，この利用者の設定金額を取得する。
【００１５】
そして，入金金額と取得された設定金額とを比較し，双方の金額が一致する場合に，利用者の本人認証が成功したものと判定する。一方，双方の金額が一致しない場合に，利用者の本人認証が失敗したものと判定する。本人認証結果が認証成功である場合に，ＡＴＭにおいて利用者の口座の出金取引が実行可能となる状態にし，前記本人認証結果が認証失敗である場合に，ＡＴＭにおいて利用者の口座の出金取引が実行不可となる状態にし，入金金額を利用者の口座へ入金する。
【００１６】
これにより，利用者は，所定の金額の入金を行うという非常に簡単な操作を行うだけで，利用者認証を行うことができる。さらに，不正利用者による本人認証が失敗であった場合に，本人認証のために入金されたお金は，そのまま正規の利用者の口座へ入金取引として扱われるため，口座への不審な入金記録から，カードのスキミングや盗難を早期に発見することができる。
【００１７】
また，本人認証に失敗した場合に，認証のために入金されたお金がそのまま口座へ入金されて，不正利用者への牽制となるため，不正利用の抑止効果が高くなる。
【００１８】
また，本発明は，次回取引時の本人認証のために入金される設定金額の変更を受け付け，変更後の設定金額をもとに口座情報記憶手段に記録された設定金額を更新する処理過程を備える。
【００１９】
これにより，利用者は，口座の残高などに合わせて，本人認証に用いる設定金額を変更して，セキュリティレベルを任意に設定することができる。例えば，設定金額の桁数が大きいほど，または設定金額の数字の揃いが悪いほど，セキュリティレベルは高くなる。
【００２０】
また，本発明は，本人認証結果が認証成功である場合に，利用者の口座の出金取引において，利用者が指定した出金金額に入金金額を加算した額を出金する処理過程を備える。
【００２１】
これにより，本人認証のために入金された現金は，特に口座に預け入れされた入金金額として扱われず，通帳に記帳されないため，通帳の記録から，本人認証の設定金額が他人に漏れる危険性がなくなる。
【００２２】
また，本発明は，生体認証装置などの特別な装置を導入する必要がなく，現行のＡＴＭシステムを少し改良するだけで不正利用防止効果が高い利用者認証を行うことができるので，システム導入のコストを安く抑えつつ，効果的にセキュリティを強化することができる。
【発明の効果】
【００２３】
本発明によれば，利用者が，予め登録しておいた額を入金するだけで，利用者の本人認証を行うことができる。また，本人認証に携帯端末などの特別な機器が不要である。よって，本人認証のための操作が非常に簡単であり，セキュリティが強化されたＡＴＭを誰でも簡単に利用することができる。
【００２４】
また，本発明によれば，本人認証のための入金の設定金額は，利用者が自由に変更することができる。口座残高などの状況に合わせて，任意にセキュリティレベルを設定することができる。
【００２５】
また，本人認証が失敗であった場合には，認証のために入金された金額が，そのまま正規の利用者の口座への入金金額となり，ＡＴＭの操作者である不正利用者に返金されない。
【００２６】
そのため，不正利用の抑止としてはたらくと考えられる。さらに，正規利用者（口座所有者）は，通帳などに記帳された不審な入金記録から，キャッシュカードのスキミングや盗難などの可能性があることを早期に発見することができる。よって，不正利用抑止の高い効果が期待できる。
【００２７】
また，本発明の実施は，生体認証装置などの特別な装置の設置が不要であり，現行のＡＴＭシステムのソフトウェアの改変などによって行うことができるため，システム導入のコストが安価である。
【００２８】
なお，本発明のＡＴＭシステムは，従来の暗証番号による認証処理を組み合わせて実施することができる。利用者は，従来からの慣れ親しんだ操作に類似する操作を追加して行うだけで，より高いセキュリティによる保護を享受することができる。
【発明を実施するための最良の形態】
【００２９】
以下，本発明の実施の形態について，図を用いて説明する。
【００３０】
図１は，本発明の原理を説明する図である。まず，図１を用いて，入金による本人認証（以下，入金認証という）の原理を簡単に説明する。
【００３１】
利用者は，口座取引前にＡＴＭ１０で入金認証を行うことにより，口座の「ロック」を解除し，通常の出金取引などを行うことができる。口座のロックとは，その口座からの出金取引，出金取引を伴う振込取引，振替取引などの所定の取引が実行できない状態をいう。
【００３２】
また，ホストシステム２０は，口座ごとに口座所有者の氏名，暗証番号などを記録した口座情報に，入金認証でロックを解除するために必要な入金金額である解除金額を記録しておく。解除金額は，口座所有者によって予め設定されたものである。
【００３３】
まず，利用者がＡＴＭ１０にキャッシュカードなどのカードを挿入すると（ＳＴ１），ＡＴＭ１０は，挿入されたカードに記録された口座番号などの口座を特定する情報を読み取り，得られた情報をセンタ側のホストシステム２０に通知する（ＳＴ２）。ホストシステム２０は，ＡＴＭ１０から受け取った情報から口座を特定する（ＳＴ３）。口座を特定することにより，口座情報からその口座にかけられたロックを解除する解除金額を取得することができる（ＳＴ４）。また，ＡＴＭ１０は，表示部に入金を指示する画面（入金指示画面）を表示する（ＳＴ５）。利用者がＡＴＭ１０へ入金を行うと（ＳＴ６），ＡＴＭ１０は，利用者からの入金金額を確認し，その入金金額をホストシステム２０に通知する（ＳＴ７）。
【００３４】
ホストシステム２０は，ＡＴＭ１０から受け取った利用者の入金金額と，ＳＴ４の処理で取得された解除金額とを比較することにより認証を行う（ＳＴ８）。双方の金額が一致すれば，認証結果は成功（ロック解除ＯＫ）となり，双方の金額が一致しなければ，認証結果は失敗（ロック解除ＮＧ）となる。ホストシステム２０は，認証結果（認証成功または認証失敗）をＡＴＭ１０に送信する（ＳＴ９）。
【００３５】
認証結果が成功であれば，ＡＴＭ１０とホストシステム２０は，その口座のロックが解除されたものと認識し，以降，ＡＴＭ１０の利用者がその口座の所有者であるものと認定して取引処理が開始される。
【００３６】
一方，認証結果が失敗であれば，口座のロックは解除されず，ＳＴ５の処理に戻って利用者に再度の入金を要求する。所定回数の入金認証によっても認証結果が失敗であれば，口座のロックは解除されないまま，以降，この口座は取引拒否とされる。
【００３７】
また，ＳＴ６の処理で一度入金されたお金はＡＴＭ操作者（利用者）に返却されず，該当口座への入金として扱われる。すなわち，入金認証に成功しない限り，ＡＴＭ１０の操作者（不正利用者）は，入金されたお金を取り戻すことはできない。
【００３８】
このように，ＡＴＭ１０にお金を入金するという非常に簡単な操作だけで本人認証を行うことができるため，利用者は，口座のロックを解除するために複雑な操作や，携帯端末などの他の機器を使用する必要がない。
【００３９】
また，生体認証などのように特別な装置を必要としないため，特にシステムに膨大な投資を行う必要がなく，現在使用されているシステムを少し改良するだけで，本人認証を行うことができる。
【００４０】
さらに，不正利用者の本人認証が失敗した場合に，不正利用者が入金したお金はその口座の正規所有者のものとなって，不正利用者には返却されない。そのため，不正利用者への牽制となる。
【００４１】
図２は，本発明の実施の形態による銀行システム（ＡＴＭシステム）の構成例を示す図である。
【００４２】
ＡＴＭシステムは，複数のＡＴＭ１０と，センタ側のホストシステム２０とから構成される。各ＡＴＭ１０とホストシステム２０とは，通信回線３０で接続されている。
【００４３】
ＡＴＭ１０は，利用者と直接取引を行う装置であり，通信部１１，取引処理部１２，出金処理部１３，入金処理部１４，残高照会処理部１５，入金認証手続処理部１６，カード読取部１７，入出金口１８，入出力画面１９を備える。
【００４４】
ホストシステム２０は，ＡＴＭ１０での取引全体を管理するシステムであり，通信部２１，取引管理処理部２２，入金認証処理部２３，口座情報テーブル２４，入出金情報記憶部２５を備える。また，取引管理処理部２２は，出金取引処理部２６，入金取引処理部２７，残高照会取引処理部２８を備える。
【００４５】
ＡＴＭ１０において，通信部１１は，通信回線３０を介して，ホストシステム２０との通信を行う処理手段である。
【００４６】
取引処理部１２は，ＡＴＭ１０における取引処理全般を管理する処理手段である。出金処理部１３は，“お引き出し”などの口座から指定された金額を払い出す出金処理を行う処理手段である。入金処理部１４は，“お預け入れ”などの口座へ指定された金額を預け入れる入金処理を行う処理手段である。残高照会処理部１５は，口座預金の残高を表示する残高照会処理を行う処理手段である。
【００４７】
入金認証手続処理部１６は，図１を用いて説明した入金認証のＡＴＭ１０側の処理など，入金認証に関するＡＴＭ１０側の様々な処理を行う処理手段である。
【００４８】
カード読取部１７は，利用者のカードに記録された情報を読み取る装置である。入出金口１８は，現金の投入口兼排出口である。入出力画面１９は，タッチパネルなどの出力装置兼入力装置である。
【００４９】
ホストシステム２０において，通信部２１は，通信回線３０を介して，各ＡＴＭ１０との通信を行う処理手段である。取引管理処理部２２は，各ＡＴＭ１０での利用者との取引全体を管理する処理手段である。特に，出金取引処理部２６は出金に関する取引処理を行い，入金取引処理部２７は入金に関する取引処理を行い，残高照会取引処理部２８は残高照会に関する取引処理を行う。
【００５０】
入金認証処理部２３は，図１を用いて説明した入金認証のホストシステム２０側の処理など，入金認証に関するホストシステム２０側の様々な処理を行う処理手段である。
【００５１】
口座情報テーブル２４は，各口座の情報を管理する記憶手段である。
【００５２】
入出金情報記憶部２５は，各口座ごとの入出金のログ情報である入出金情報が記録される記憶手段である。
【００５３】
図３は，口座情報テーブルの例を示す図である。口座情報テーブル２４は，口座番号ごとに，氏名，住所等の口座所有者である顧客情報，暗証番号，ロック状態，解除金額等の情報が記録されている。
【００５４】
口座情報テーブル２４の「ロック状態」とは，その口座で所定の取引のために，入金認証処理が必要か否かを示す情報である。
【００５５】
ロック状態の“なし”は，その口座が，特に入金認証を行わず，通常の暗証番号の入力により取引が可能な状態であることを示す。このように，顧客が入金認証の使用／不使用を選択することもできる。
【００５６】
ロック状態の“ロック”は，その口座が取引に入金認証を必要とする状態であることを示す。ロック状態が“ロック”の場合に，口座のロックを解除するために投入される金額を示す「解除金額」が設定されている。解除金額は，口座の所有者が予め登録しておき，取引終了後などにＡＴＭ１０で変更することが可能である。
【００５７】
例えば，図３（Ａ）に示す口座情報テーブル２４では，口座番号１２３４５６７８の口座の解除金額は“１０２５０円”である。この口座の所有者が，ある取引の終了後にＡＴＭ１０で解除金額を“１９５９円”に変更すると，図３（Ｂ）に示すように，口座情報テーブル２４の口座番号１２３４５６７８の口座の解除金額は１９５９円に変更される。
【００５８】
図３（Ｃ）に示す口座情報テーブル２４のロック状態の“出金ロック”は，その口座が出金取引が停止された状態であることを示す。ロック状態が“出金ロック”である口座は，ＡＴＭ１０での出金取引を行うことができない。口座の“出金ロック”を解除するためには，例えば，銀行の窓口に本人確認が可能な証明書を持参して赴くなど，所定の手続きが必要となる。
【００５９】
入金認証で入金された金額は，一時預かり金として入金認証手続処理部１６，入金認証処理部２３のデータ上に保持される。
【００６０】
入金されたお金は，認証成功後に返金処理されるか，そのまま口座に入金処理されるかを，利用者が選べるようにすることもできる。返金処理が選択されている場合には，入金認証の成功後，取引終了時に利用者に返金される。また，口座への入金処理が選択されている場合には，入金認証において入金された金額が，通常の入金として処理される。
【００６１】
ところで，上記入金処理が選択されている場合に，結果として入金認証の解除金額が通帳に入金金額として記帳されることになり，何度も同じ金額が入金されていると，通帳の記録から解除金額が他人に漏れてしまう可能性がある。
【００６２】
そのため，入金認証での入金について入金処理が選択されている場合には，次回の入金認証で使用される解除金額を変更する操作を利用者に要求できるようにする。そして，この場合に，解除金額が変更されなかったときは，将来の不正利用防止のために，口座に“出金ロック”を設定する。
【００６３】
例えば，口座情報テーブル２４が，図３（Ａ）に示す状態であり，口座番号１２３４５６７８の口座について，入金認証で入金したお金の「入金処理」が選択されているとする。ＡＴＭにおいて，入金認証で入金された１０２５０円がそのまま口座に入金され，解除金額が１０２５０円のまま変更されなければ，図３（Ｃ）に示すように，口座情報テーブル２４の口座番号１２３４５６７８の口座のロック状態は，“出金ロック”に変更される。
【００６４】
図４は，入出金情報の例を示す図である。入出金情報２５０は，口座ごとの入出金のログ情報であり，入出金情報記憶部２５に記憶される。図４に示す入出金情報２５０の例では，入出金が行われた日付，入金／出金，金額の情報が記録されている。
【００６５】
入金認証に失敗した場合には，入金認証で入金されたお金はそのまま口座に入金される。例えば，不正利用者が，入金認証の操作において，初回に１２３４円を入金して認証に失敗し，次回に５６７８円を入金して再度認証に失敗したとする。図４（Ａ）に示すように，この不正利用者が行った入金認証操作によって入金されたお金はすべて口座に入金され，その口座の入出金情報２５０に記録される。このように，不正利用に失敗して入金されたお金はすべてその口座の所有者のものになってしまうので，不正利用者に対する抑止力となる。また，通帳などで不正な入金を簡単に見つけることができるので，スキミング等の犯罪を早期に発見することができる。
【００６６】
また，返金処理が選択されていて，入金認証で入金されたお金が利用者に返金される場合には，入金認証で入金されたお金は通常の口座への入金として扱われないので，入出金情報２５０には記録されない。また，入金処理が選択されていて，入金認証で入金されたお金がそのまま口座に入金される場合には，入出金情報２５０に記録される。
【００６７】
例えば，２０００００円の出金取引で，入金認証で１０２５０円の入金を行ったときに，返金処理（入金認証で入金されたお金が利用者に返金）の場合には，図４（Ｂ）に示すように，口座から出金された２０００００円だけがその口座の入出金情報２５０に記録される。また，入金処理（入金認証で入金されたお金がそのまま口座に入金）の場合には，図４（Ｃ）に示すように，口座から出金された２０００００円と，入金認証操作において口座に入金された１０２５０円とがその口座の入出金情報２５０に記録される。
【００６８】
この入金認証は，ＡＴＭ１０でのすべての取引時に行われてもよいし，特定の取引時にのみ行われてもよい。ただし，実際にセキュリティ上問題となる取引は，口座から出金がある取引であるので，引き出し，振替，振込などの取引の場合にのみ，入金認証処理を行えばよい。
【００６９】
入金認証が行われる引き出し処理（出金取引）の一連の手続きの流れを，ＡＴＭ１０の入出力画面１９に表示される画面を用いて説明する。
【００７０】
図５は，取引選択画面５０の例を示す図である。利用者がカード読取部１７にカードを挿入すると，ＡＴＭ１０の入出力画面１９には，図５に示す取引選択画面５０が表示される。利用者が，取引選択画面５０でボタンを押下することによって，選択された取引が開始される。ここで，利用者によって“お引き出し”の取引が選択される。
【００７１】
図６は，出金不可画面５１の例を示す図である。口座情報テーブル２４の該当口座のロック状態が“出金ロック”である場合に，ＡＴＭ１０の入出力画面１９には，図６に示す出金不可画面５１が表示される。このとき，利用者は，ＡＴＭ１０によって口座から現金を引き出すことができない。
【００７２】
図７は，入金指示画面５２の例を示す図である。口座情報テーブル２４の該当口座のロック状態が“ロック”である場合に，ＡＴＭ１０の入出力画面１９には，図７に示す入金指示画面５２が表示される。利用者は，予め設定された解除金額を，入出金口１８に投入する。なお，取り消しボタンが押されると，取引選択画面５０に戻る。
【００７３】
図８は，金額確認画面５３の例を示す図である。入出金口１８に現金が投入されるとその投入金額が算出され，ＡＴＭ１０の入出力画面１９には，図８に示す金額確認画面５３が表示される。利用者は，金額確認画面５３に表示された金額に間違いがなければ確認ボタン５３０を押す。なお，取り消しボタンが押されると，入出金口１８から入金されたお金が返金され，入金指示画面５２に戻る。
【００７４】
図８に示す金額確認画面５３で確認ボタン５３０が押されると，ＡＴＭ１０はホストシステム２０に入金金額を通知する。ホストシステム２０では，ＡＴＭ１０から通知された入金金額と口座情報テーブル２４の該当口座の解除金額とを比較し，一致すれば入金認証成功を，一致しなければ入金認証失敗をＡＴＭ１０に通知する。
【００７５】
ＡＴＭ１０は，入金認証成功の場合には，引き続き通常の“お引き出し”の処理に進む。入金認証失敗の場合には，入金認証が失敗した旨を入出力画面１９で利用者に通知し，入金指示画面５２に戻って再度の入金を促す。なお，入金認証に失敗した場合の入金金額は，入金認証に成功するまで返金されない。
【００７６】
図９は，暗証番号入力画面５４の例を示す図である。入金認証に成功すると，ＡＴＭ１０の入出力画面１９には，図９に示す暗証番号入力画面５４が表示される。利用者は，予め設定された暗証番号を入力する。ホストシステム２０では，従来どおり，ＡＴＭ１０から通知された暗証番号と口座情報テーブル２４の該当口座の暗証番号とを比較し，一致すれば暗証番号認証成功を，一致しなければ暗証番号認証失敗をＡＴＭ１０に通知する。
【００７７】
図１０は，引き出し画面５５の例を示す図である。暗証番号認証が成功していれば，ＡＴＭ１０の入出力画面１９には，図１０に示す引き出し画面５５が表示される。利用者は，出金金額を入力し，確認ボタンを押す。金額を間違えた場合には，訂正ボタンを押して，再度出金金額を入力する。ここで，取り消しボタンが押されると，入出金口１８から入金認証のために入金されたお金が返金され，取引選択画面５０に戻る。
【００７８】
図１１は，引き出し画面５６の例を示す図である。入金認証のために入金されたお金を返金するかそのまま口座に入金するかを選択できる場合には，図１０に示す引き出し画面５５の代わりに図１１に示す引き出し画面５６が，ＡＴＭ１０の入出力画面１９に表示される。利用者は，出金金額の入力後，入金認証のために入金されたお金を返金する場合には入金戻ボタン５６０を押し，入金認証のために入金されたお金をそのまま口座に入金する場合には確認ボタン５６２を押す。
【００７９】
利用者によって指定された出金金額が口座残高の範囲内である場合，ＡＴＭ１０の入出力画面１９には，出金処理を示す画面が表示され，入出金口１８から現金が排出される。このとき，入金認証のために入金されたお金が返金される場合には，指定金額に入金金額が加算された金額が排出される。なお，利用者によって指定された出金金額が口座残高を超えている場合，ＡＴＭ１０の入出力画面１９には，残高不足を通知する画面が表示され，取引は終了する。
【００８０】
図１２は，解除金額変更画面５９の例を示す図である。ひと通りの出金取引が終了すると，ＡＴＭ１０の入出力画面１９には，図１２に示す解除金額変更画面５９が表示される。利用者は，解除金額を変更する場合，解除金額を入力し，確認ボタン５９０を押す。金額を間違えた場合には，訂正ボタンを押して，再度解除金額を入力する。解除金額を変更しない場合，利用者は，取り消しボタン５９２を押す。
【００８１】
図１３は，取引完了画面６０の例を示す図である。すべての手続きが完了すると，ＡＴＭ１０の入出力画面１９には，図１３に示す取引完了画面６０が表示され，カード読取部１７からカードが排出される。
【００８２】
以下，図１４〜図１８のフローチャートを用いて，入金認証を用いた出金処理の流れを説明する。
【００８３】
図１４は，本発明の実施の形態における入金認証処理の処理フローチャートである。
【００８４】
利用者がＡＴＭ１０のカード読取部１７にカードを挿入すると，取引処理部１２は，図５の取引選択画面５０を表示する（ステップＳ１０）。利用者が“お引き出し”を選択すると，入金認証手続処理部１６は，カードに記録された口座番号などの情報を読み出し，通信部１１を介してホストシステム２０に送信する（ステップＳ１１）。ＡＴＭ１０は，ホストシステム２０からのロック状態の受信待ちとなる（ステップＳ１２）。
【００８５】
ホストシステム２０の入金認証処理部２３は，ＡＴＭ１０から受信した口座番号などの情報から口座を特定し（ステップＳ２０），口座情報テーブル２４からロック状態を取得して，それを通信部２１を介してＡＴＭ１０に送信する（ステップＳ２１）。
【００８６】
ＡＴＭ１０の入金認証手続処理部１６は，ロック状態が出金ロックであれば（ステップＳ１３のＹＥＳ），図６の出金不可画面５１を表示し（ステップＳ１４），処理を終了する。また，ホストシステム２０は，ロック状態が出金ロックであれば（ステップＳ２２のＹＥＳ），処理を終了する。
【００８７】
ＡＴＭ１０の入金認証手続処理部１６は，ロック状態がロックであれば（ステップＳ１５のＹＥＳ），図７の入金指示画面５２を表示する（ステップＳ１６）。一方，ロック状態がロックでなければ（ステップＳ１５のＮＯ），すなわちロック状態がなしであれば，取引処理部１２による暗証番号判定処理に進む。ホストシステム２０は，ロック状態がロックであれば（ステップＳ２３のＹＥＳ），ＡＴＭ１０からの入金金額の受信待ちとなる（ステップＳ２４）。ロック状態がロックでなければ（ステップＳ２３のＮＯ），すなわちロック状態がなしであれば，取引管理処理部２２による暗証番号判定処理に進む。
【００８８】
ＡＴＭ１０で，利用者が入出金口１８から入金を行うと，入金認証手続処理部１６は入金金額を確認してホストシステム２０に送信する（ステップＳ１７）。ＡＴＭ１０は，ホストシステム２０からの認証結果の受信待ちとなる（ステップＳ１８）。
【００８９】
ホストシステム２０の入金認証処理部２３は，ＡＴＭ１０から受け取った入金金額と口座情報テーブル２４の該当口座の解除金額とを比較することにより認証を行う（ステップＳ２５）。双方の結果が一致すれば認証成功となり，ロック解除ＯＫとなる。双方の結果が一致しなければ認証失敗となり，ロック解除ＮＧとなる。ホストシステム２０は，認証結果（ロック解除ＯＫ／ロック解除ＮＧ）をＡＴＭ１０に送信する（ステップＳ２６）。
【００９０】
ＡＴＭ１０の入金認証手続処理部１６は，受信した認証結果が認証成功（ロック解除ＯＫ）であれば口座のロックを解除し（ステップＳ１９のＹＥＳ），取引処理部１２へ処理を渡し，暗証番号判定処理に進む。
【００９１】
一方，受信した認証結果が認証失敗（ロック解除ＮＧ）であれば口座のロックを解除せず（ステップＳ１９のＮＯ），ステップＳ１６に戻って再度入金指示画面５２を表示する。ホストシステム２０は，認証結果が認証成功（ロック解除ＯＫ）であれば（ステップＳ２７のＹＥＳ），内部的に該当口座をロック解除状態とし（ステップＳ２８），取引管理処理部２２の暗証番号判定処理に進む。認証結果が認証失敗（ロック解除ＮＧ）であれば（ステップＳ２７のＮＯ），入金認証のために入金された入金金額を入金情報として該当口座の入出金情報２５０に記録し（ステップＳ２９），ステップＳ２４に戻って再びＡＴＭ１０からの入金金額の受信待ちとなる。
【００９２】
図１５は，本実施の形態における暗証番号判定処理の処理フローチャートである。
【００９３】
ＡＴＭ１０の取引処理部１２は，図９の暗証番号入力画面５４を表示する（ステップＳ３０）。このとき，ホストシステム２０は，ＡＴＭ１０からの暗証番号の受信待ちとなる（ステップＳ４０）。
【００９４】
利用者が入出力画面１９から暗証番号を入力すると，取引処理部１２は，その暗証番号をホストシステム２０に送信する（ステップＳ３１）。ＡＴＭ１０は，ホストシステム２０からの暗証番号判定結果の受信待ちとなる（ステップＳ３２）。ホストシステム２０の取引管理処理部２２は，ＡＴＭ１０から受信した暗証番号と口座情報テーブル２４の該当口座の暗証番号とを比較することにより暗証番号の正否判定を行う（ステップＳ４１）。ＡＴＭ１０から受け取った暗証番号と口座情報テーブル２４の該当口座の暗証番号とが一致すれば，暗証番号判定結果が成功となる。一方，一致しなければ，暗証番号判定結果が失敗となる。ホストシステム２０は，暗証番号判定結果をＡＴＭ１０に送信する（ステップＳ４２）。
【００９５】
ＡＴＭ１０の取引処理部１２は，受信した暗証番号判定結果が一致（成功）であれば（ステップＳ３３のＹＥＳ），出金処理部１３による引き出し処理に進む。一方，暗証番号判定結果が不一致（失敗）であれば（ステップＳ３３のＮＯ），図１４の入金認証処理のステップＳ１６に戻って再度入金指示画面５２を表示する。
【００９６】
ホストシステム２０の取引管理処理部２２は，暗証番号判定結果が一致（成功）であれば（ステップＳ４３のＹＥＳ），出金取引処理部２６による引き出し処理に進む。暗証番号判定結果が不一致（失敗）であれば（ステップＳ４３のＮＯ），入金認証処理において入金された金額を口座への入金情報として該当口座の入出金情報２５０に記録し（ステップＳ４４），図１４の入金認証処理のステップＳ２４に戻って再びＡＴＭ１０からの入金金額の受信待ちとなる。
【００９７】
図１６は，本実施の形態における引き出し処理の処理フローチャートである。
【００９８】
ここでは，入金認証処理において入金されたお金が，引き出し処理と同時に返金される場合の例について説明する。
【００９９】
ＡＴＭ１０の出金処理部１３は，図１０の引き出し画面５５を表示する（ステップＳ５０）。このとき，ホストシステム２０は，ＡＴＭ１０からの出金金額の受信待ちとなる（ステップＳ６０）。
【０１００】
利用者が出金金額を入力すると，出金処理部１３は，その出金金額をホストシステム２０に送信する（ステップＳ５１）。ＡＴＭ１０は，ホストシステム２０からの残高照会判定結果の受信待ちとなる（ステップＳ５２）。
【０１０１】
ホストシステム２０の出金取引処理部２６は，該当口座の残高を照会し，ＡＴＭ１０から受け取った出金金額が該当口座の残高以内であるかの判定を行う（ステップＳ６１）。そして，出金金額が口座の残高以内であれば，残高照会判定結果は出金可となり，出金金額が口座の残高を超えていれば，残高照会判定結果は出金不可となる。出金取引処理部２６は，残高照会判定結果をＡＴＭ１０に送信する（ステップＳ６２）。
【０１０２】
ＡＴＭ１０の出金処理部１３は，受信した残高照会判定結果が出金不可であれば（ステップＳ５３のＮＯ），入出力画面１９に残高不足である旨を表示し（ステップＳ５４），処理を終了する。残高照会判定結果が出金可であれば（ステップＳ５３のＹＥＳ），指定金額（指定された出金金額）と認証のための入金金額とを一緒に排出し（ステップＳ５５），入金認証手続処理部１６による解除金額変更処理に進む。
【０１０３】
ホストシステム２０の出金取引処理部２６は，残高照会判定結果が出金不可であれば（ステップＳ６３のＮＯ），内部的に該当口座をロック状態とし（ステップＳ６４），処理を終了する。残高照会判定結果が出金可であれば（ステップＳ６３のＹＥＳ），指定された出金金額を口座からの出金情報として該当口座の入出金情報２５０に記録し（ステップＳ６５），内部的に該当口座をロック状態とし（ステップＳ６６），入金認証処理部２３による解除金額変更処理に進む。
【０１０４】
図１７は，本実施の形態における解除金額変更処理の処理フローチャートである。
【０１０５】
まず，ＡＴＭ１０の入金認証手続処理部１６は，図１２の解除金額変更画面５９を表示する（ステップＳ７０）。このとき，ホストシステム２０は，ＡＴＭ１０からの解除金額の受信待ちとなる（ステップＳ８０）。
【０１０６】
利用者が解除金額を入力（または非入力）すると，入金認証手続処理部１６は，解除金額が変更されていなければ（ステップＳ７１のＮＯ），解除金額の変更なしをホストシステム２０に送信する（ステップＳ７２）。解除金額が変更されていれば（ステップＳ７１のＹＥＳ），その解除金額をホストシステム２０に送信する（ステップＳ７３）。ＡＴＭ１０は，ホストシステム２０からの変更完了通知の受信待ちとなる（ステップＳ７４）。
【０１０７】
なお，利用者は，口座の残高などに合わせて解除金額を変更することにより，セキュリティレベルを任意に設定することができる。例えば，口座の残高が多い場合には解除金額を高額にすることによりセキュリティレベルを高くし，口座の残高が少ない場合には解除金額を低額にすることによりセキュリティレベルを低くすればよい。金額が大きいほど，小銭が多くなるほど，金額の歯切れが悪いほど，セキュリティレベルは高くなると考えられるからである。
【０１０８】
ホストシステム２０の入金認証処理部２３は，解除金額が変更されていなければ（ステップＳ８１のＮＯ），そのまま処理を終了する。解除金額が変更されていれば（ステップＳ８１のＹＥＳ），口座情報テーブル２４の該当口座の解除金額を更新し（ステップＳ８２），解除金額の変更完了通知をＡＴＭ１０に送信し（ステップＳ８３），処理を終了する。
【０１０９】
ＡＴＭ１０の入金認証手続処理部１６は，ホストシステム２０から解除金額の変更完了通知を受信すると，カードを排出し（ステップＳ７５），図１３の取引完了画面６０を表示し（ステップＳ７６），処理を終了する。
【０１１０】
ここまで説明した処理の流れは，認証のために入金されたお金が引き出しと同時に自動的に返金される場合の処理の流れである。
【０１１１】
以下，入金認証のために入金されたお金を返金処理するか，または口座に入金処理するかを，利用者が操作時に指定する場合の処理の流れについて，簡単に説明する。
【０１１２】
入金認証処理，暗証番号判定処理については，それぞれ，図１４，図１５に示す処理フローチャートのとおりとなる。
【０１１３】
図１８は，本実施の形態における出金処理の処理フローチャートである。
【０１１４】
ＡＴＭ１０の入金認証手続処理部１６は，図１１の引き出し画面５６を表示する（ステップＳ９０）。このとき，ホストシステム２０は，ＡＴＭ１０からの出金金額の受信待ちとなる（ステップＳ１００）。
【０１１５】
利用者が出金金額を入力すると，ＡＴＭ１０は，その出金金額をホストシステム２０に送信する（ステップＳ９１）。このとき，同時に利用者が入金戻ボタン５６０を押していれば，その情報（入金戻し）もホストシステム２０に送信する。ＡＴＭ１０は，ホストシステム２０からの残高照会判定結果の受信待ちとなる（ステップＳ９２）。
【０１１６】
ホストシステム２０の入金認証処理部２３は，該当口座の残高を照会し，ＡＴＭ１０から受け取った出金金額が該当口座の残高以内であるかの判定を行う（ステップＳ１０１）。出金金額が口座の残高以内であれば，残高照会判定結果は出金可となり，出金金額が口座の残高を超えていれば，残高照会判定結果は出金不可となる。ホストシステム２０は，残高照会判定結果をＡＴＭ１０に送信する（ステップＳ１０２）。
【０１１７】
ＡＴＭ１０の出金処理部１３は，残高照会判定結果が出金不可であれば（ステップＳ９３のＮＯ），入出力画面１９に残高不足の旨を表示し（ステップＳ９４），処理を終了する。また，ホストシステム２０は，残高照会判定結果が出金不可であれば（ステップＳ１０３のＮＯ），内部的に該当口座をロック状態とし（ステップＳ１０４），処理を終了する。
【０１１８】
ＡＴＭ１０は，利用者によって入金戻ボタンが押されていなければ（ステップＳ９５のＮＯ），指定金額（指定された出金金額）のみを排出し（ステップＳ９６），解除金額変更処理に進む。また，利用者によって入金戻ボタン５６０が押されていれば（ステップＳ９５のＹＥＳ），指定金額（指定された出金金額）と認証のための入金金額とを一緒に排出し（ステップＳ９７），解除金額変更処理に進む。
【０１１９】
ホストシステム２０は，利用者によって入金戻ボタン５６０が押されていなければ（ステップＳ１０５のＮＯ），指定された出金金額を口座からの出金情報として，また認証のために入金された入金金額を入金情報として該当口座の入出金情報２５０に記録し（ステップＳ１０６），口座情報テーブル２４の該当口座のロック状態を出金ロックに変更し（ステップＳ１０７），解除金額変更処理に進む。また，利用者によって入金戻ボタン５６０が押されていれば（ステップＳ１０５のＹＥＳ），指定された出金金額を口座からの出金情報として該当口座の入出金情報２５０に記録し（ステップＳ１０８），内部的に該当口座をロック状態とし（ステップＳ１０９），解除金額変更処理に進む。
【０１２０】
解除金額変更処理については，基本的に図１７に示す処理フローチャートのとおりとなる。ただし，図１７のステップ８２の解除金額の更新と同時に，口座情報テーブル２４の該当口座のロック状態を，出金ロックからロックに変更する。
【０１２１】
以上，本発明の実施の形態について説明したが，本発明はこれに限られるものではない。例えば，上述の実施の形態では，本発明の入金認証を銀行などの預金口座からの出金取引時の本人認証に適用する場合の例を挙げて説明しているが，本発明の入金認証をクレジットカードなどによるキャッシング時の本人認証などに適用することも可能である。このとき口座はクレジット口座となり，口座への入金はクレジット口座への返済金となる。
【０１２２】
また，例えば，本実施の形態では，特に認証のために入金されたお金が引き出しと同時に自動的に返金される場合，認証のために入金されたお金を返金するか口座に入金するかを利用者が指定する場合について説明しているが，認証のために入金されたお金を自動的に口座に入金するようにしてもよい。
【０１２３】
また，本発明は，コンピュータにより読み取られ実行される処理プログラムとして実施することができる。本発明を実現するプログラムは，コンピュータが読み取り可能な，可搬媒体メモリ，半導体メモリ，ハードディスクなどの適当な記録媒体に格納することができ，これらの記録媒体に記録して提供され，または，通信インタフェースを介して種々の通信網を利用した送受信により提供されるものである。
【０１２４】
本発明の形態および実施例の特徴を列記すると，以下のとおりである。
【０１２５】
（付記１）  利用者が現金の預け入れおよび引き出しを行う現金預入支払端末を備えて，前記利用者と口座取引を行う口座取引システムが実行する利用者認証方法であって，
前記現金預入支払端末において，利用者の口座番号が記録されたカードから口座番号を読み取る処理過程と，
前記利用者の本人認証のために入金された入金金額を取得する処理過程と，
前記利用者の口座番号と本人認証のために入金される金額を示す設定金額とが記録された口座情報記憶手段を前記口座番号によって検索し，前記利用者の設定金額を取得する処理過程と，
前記入金金額と前記取得された設定金額とを比較し，当該入金金額と当該設定金額とが一致する場合に前記利用者の本人認証が成功したものと判定し，当該入金金額と当該設定金額とが一致しない場合に前記利用者の本人認証が失敗したものと判定する処理過程と，
前記本人認証結果が認証成功である場合に，前記現金預入支払端末において前記利用者の口座の出金取引が実行可能となる状態に設定し，前記本人認証結果が認証失敗である場合に，前記現金預入支払端末において前記利用者の口座の出金取引が実行不可となる状態に設定して前記入金金額を前記利用者の口座へ入金する処理過程とを備える
ことを特徴とする利用者認証方法。
【０１２６】
（付記２）  次回取引時の本人認証のために入金される設定金額の変更を受け付け，前記変更後の設定金額をもとに前記口座情報記憶手段に記録された前記設定金額を更新する処理過程を備える
前記付記１に記載された利用者認証方法。
【０１２７】
（付記３）  前記本人認証結果が認証成功である場合に，前記利用者の口座の出金取引において，前記利用者が指定した出金金額に前記入金金額を加算した額を出金する処理過程を備える
ことを特徴とする前記付記１または前記付記２のいずれか一項に記載された利用者認証方法。
【０１２８】
（付記４）  前記利用者の本人認証が認証成功である場合の前記入金金額の後処理について，前記利用者の選択を受け付ける処理過程と，
前記選択結果として，前記入金金額の返金処理の選択を受け付けた場合に，前記出金取引において，前記利用者が指定した出金金額に前記入金金額を加算した額を出金し，前記入金金額の入金処理の選択を受け付けた場合に，前記入金金額を前記利用者の口座へ入金する処理過程を備える
ことを特徴とする前記付記１または前記付記２のいずれか一項に記載された利用者認証方法。
【０１２９】
（付記５）  前記選択結果として前記入金金額の入金処理の選択を受け付けた場合に，次回取引時の本人認証のための設定金額が変更されているか否かを判定する処理過程と，
前記口座情報記憶手段の設定金額が変更されていない場合に，前記出金取引の完了後に，前記利用者の口座に取引停止状態を前記口座情報記憶手段に設定する処理過程を備え，
前記現金預入支払端末における前記利用者の口座の取引実行を禁止する
ことを特徴とする前記付記４に記載された利用者認証方法。
【０１３０】
（付記６）  利用者が現金の預け入れおよび引き出しを行う現金預入支払端末と，前記現金預入支払端末と通信回線で接続されたホストシステムとで構成され，前記利用者と口座取引を行う口座取引システムであって，
前記現金預入支払端末は，
前記利用者の口座番号が記録されたカードから口座番号を読み取る口座番号取得手段と，
前記利用者の本人認証のために入金された入金金額を取得する入金額取得手段と，
前記口座番号および前記入金金額を前記ホストシステムへ送信する送信手段と，
前記ホストシステムから受信した情報にもとづいて，前記利用者と所定の口座取引を実行する入出金処理手段とを備え，
前記ホストシステムは，
前記利用者の口座番号と，本人認証のために入金される金額を示す設定金額とが記録された口座情報記憶手段と，
前記現金預入支払端末から受信した口座番号によって前記口座情報記憶手段を検索し，前記利用者の設定金額を取得する設定金額取得手段と，
前記入金金額と前記取得された設定金額とを比較し，当該入金金額と当該設定金額とが一致する場合に前記利用者の本人認証が成功したものと判定し，当該入金金額と当該設定金額とが一致しない場合に前記利用者の本人認証が失敗したものと判定する本人認証手段と，
前記本人認証結果が認証成功である場合に，前記現金預入支払端末において前記利用者の口座の出金取引が実行可能となる状態に設定し，前記本人認証結果が認証失敗である場合に，前記現金預入支払端末において前記利用者の口座の出金取引が実行不可となる状態に設定して前記入金金額を前記利用者の口座へ入金する入出金取引手段とを備える
ことを特徴とする口座取引システム。
【０１３１】
（付記７）  前記現金預入支払端末は，次回取引時の本人認証のために入金される設定金額の変更を受け付ける入金金額変更受付手段を備え，
前記ホストシステムは，前記受け付けられた変更後の設定金額をもとに前記口座情報記憶手段に記録された設定金額を更新する設定金額更新手段を備える
ことを特徴とする前記付記６に記載された口座取引システム。
【０１３２】
（付記８）  前記入出金取引手段は，前記本人認証結果が認証成功である場合に，前記利用者の口座の出金取引において，前記利用者が指定した出金金額に前記入金金額を加算した額を出金する
ことを特徴とする前記付記６または前記付記７のいずれか一項に記載された口座取引システム。
【０１３３】
（付記９）  前記現金預入支払端末は，前記利用者の本人認証が認証成功である場合の前記入金金額の後処理について，前記利用者の選択を受け付ける設定金額変更手段を備えるとともに，
前記入出金取引手段は，前記選択結果として，前記入金金額の返金処理の選択を受け付けた場合に，前記出金取引において，前記利用者が指定した出金金額に前記入金金額を加算した額を出金し，前記入金金額の入金処理の選択を受け付けた場合に，前記入金金額を前記利用者の口座へ入金する
ことを特徴とする前記付記６または前記付記７のいずれか一項に記載された口座取引システム。
【０１３４】
（付記１０）  前記本人認証手段は，前記選択結果として前記入金金額の入金処理の選択を受け付けた場合に，次回取引時の本人認証のための設定金額が変更されているか否かを判定し，前記口座情報記憶手段の設定金額が変更されていない場合に，前記出金取引の完了後に，前記利用者の口座に取引停止状態を前記口座情報記憶手段に設定して，
前記現金預入支払端末における前記利用者の口座の取引実行を禁止する
ことを特徴とする前記付記９に記載された口座取引システム。
【０１３５】
（付記１１）  利用者と口座取引を行う口座取引システムに備えられ，前記利用者が現金の預け入れおよび引き出しを行う現金預入支払端末であって，
利用者の口座番号が記録されたカードから口座番号を読み取る口座番号取得手段と，
前記利用者の本人認証のために入金された入金金額を取得する入金額取得手段と，
前記口座番号および前記入金金額を前記ホストシステムへ送信する送信手段と，
前記ホストシステムからの前記利用者の本人認証結果として認証成功を受信した場合に，前記ホストシステムから受信した情報にもとづいて，前記利用者と所定の口座取引を実行する入出金処理手段とを備える
ことを特徴とする現金預入支払端末。
【０１３６】
（付記１２）  利用者が現金の預け入れおよび引き出しを行う現金預入支払端末を備える口座取引システムにおいて前記口座取引を管理するホストシステムであって，
利用者の口座番号と，本人認証のために入金される金額を示す設定金額とが記録された口座情報記憶手段と，
前記現金預入支払端末から受信した口座番号によって前記口座情報記憶手段を検索し，前記利用者の設定金額を取得する設定金額取得手段と，
前記入金金額と前記設定金額とを比較し，当該入金金額と当該設定金額とが一致する場合に前記利用者の本人認証が成功したものと判定し，当該入金金額と当該設定金額とが一致しない場合に前記利用者の本人認証が失敗したものと判定する本人認証手段と，
前記本人認証結果が認証成功である場合に，前記現金預入支払端末において前記利用者の口座の出金取引が可能な状態に設定し，前記本人認証結果が認証失敗である場合に，前記現金預入支払端末において前記利用者の口座の出金取引が実行不可となる状態に設定して前記入金金額を前記利用者の口座へ入金する入出金取引手段とを備える
ことを特徴とする口座取引システム用のホストシステム。
【図面の簡単な説明】
【０１３７】
【図１】本発明の原理を説明する図である。
【図２】本発明の実施の形態によるＡＴＭシステムの構成例を示す図である。
【図３】口座情報テーブルの例を示す図である。
【図４】入出金情報の例を示す図である。
【図５】取引選択画面の例を示す図である。
【図６】出金不可画面の例を示す図である。
【図７】入金指示画面の例を示す図である。
【図８】金額確認画面の例を示す図である。
【図９】暗証番号入力画面の例を示す図である。
【図１０】引き出し画面の例を示す図である。
【図１１】引き出し画面の例を示す図である。
【図１２】解除金額変更画面の例を示す図である。
【図１３】取引完了画面の例を示す図である。
【図１４】本実施の形態における入金認証処理の処理フローチャートである。
【図１５】本実施の形態における暗証番号判定処理の処理フローチャートである。
【図１６】本実施の形態における引き出し処理の処理フローチャートである。
【図１７】本実施の形態における解除金額変更処理の処理フローチャートである。
【図１８】本実施の形態における出金処理の処理フローチャートである。
【符号の説明】
【０１３８】
１０  ＡＴＭ（現金自動預入支払機）
１１  通信部
１２  取引処理部
１３  出金処理部
１４  入金処理部
１５  残高照会処理部
１６  入金認証手続処理部
１７  カード読取部
１８  入出金口
１９  入出力画面
２０  ホストシステム
２１  通信部
２２  取引管理処理部
２３  入金認証処理部
２４  口座情報テーブル
２５  入出金情報記憶部
２６  出金取引処理部
２７  入金取引処理部
２８  残高照会取引処理部
３０  通信回線
【図１】
0004758261.tif 000002
【図２】
0004758261.tif 000003
【図３】
0004758261.tif 000004
【図４】
0004758261.tif 000005
【図５】
0004758261.tif 000006
【図６】
0004758261.tif 000007
【図７】
0004758261.tif 000008
【図８】
0004758261.tif 000009
【図９】
0004758261.tif 000010
【図１０】
0004758261.tif 000011
【図１１】
0004758261.tif 000012
【図１２】
0004758261.tif 000013
【図１３】
0004758261.tif 000014
【図１４】
0004758261.tif 000015
【図１５】
0004758261.tif 000016
【図１６】
0004758261.tif 000017
【図１７】
0004758261.tif 000018
【図１８】
0004758261.tif 000019